(57)【要約】【課題】ショッピングカートに装着することで、広告宣伝効果を奏することができる広告表示体を提供すること。【解決手段】ショッピングカート１の１対の側面部５ｄには、商品やイベント等の広告または案内を行うための広告表示体１００が装着されている。これにより、広告表示体１００に表示される広告を、店舗で買い物をしている顧客に留まりやすくすることができる。即ち、店舗においては、多くの顧客がショッピンカート１を搬送しながら買い物をするので、荷物収納部５の外側面５ｄに広告を表示することで、店舗で買い物をしている多くの顧客に広告を見せることができる。よって、ショッピングカート１を広告宣伝に利用することで、顧客の購買意欲を促進することができる。【選択図】図１
0003159226.tif 000002
【実用新案登録請求の範囲】
【請求項１】
断面略円形状の複数の線材から構成されると共に上方が開放された籠状の荷物収納部を備えるショッピングカートに装着されるものであって、
板状の広告板と、
その広告板に設けられると共に係止部を有する装着部とを備え、
その装着部の前記係止部が前記線材に係止されることで前記荷物収納部の外側面に装着されることを特徴とする広告表示体。
【請求項２】
前記装着部は、前記広告板に連設される板状の連設部を備え、
前記係止部は、前記連設部を介して前記広告板に対向すると共に前記連設部よりも厚さ方向に対して垂直方向へ張り出す板状に形成され、
前記連設部が前記複数の線材の隣り合う線材間に挿入されると共に、前記係止部が前記荷物収納部の内側面側で前記複数の線材の隣り合う線材に係止されることを特徴とする請求項１記載の広告表示体。
【請求項３】
前記係止部は、前記連設部に連設される一面側の反対側である他面側の周縁部分が面取りされることで、前記連設部の一面側から他面側に向けてテーパ状に形成されていることを特徴とする請求項２記載の広告表示体。
【請求項４】
前記広告板は、板厚が前記連設部の板厚よりも小さく設定されていることを特徴とする請求項２又は３に記載の広告表示体。
【請求項５】
前記装着部を２つ以上備えていることを特徴とする請求項１から４のいずれかに記載の広告表示体。
【考案の詳細な説明】
【技術分野】
【０００１】
本考案は、広告表示体に関し、特に、ショッピングカートに装着することで、広告宣伝効果を奏することができる広告表示体に関するものである。
【背景技術】
【０００２】
従来より、スーパーマーケット等の店舗で顧客が買い物をする際に荷物を載せることができる荷物収納部を備えたショッピングカート（例えば、特許文献１）が知られている。顧客が購入しようとする商品が入った買い物かごや、すでに購入した商品を荷物収納部に収納しつつ搬送できるので、顧客は、荷物を所持する際の負担を気にせず買い物をすることができる。
【先行技術文献】
【特許文献】
【０００３】
【特許文献１】特表２００７−５２２０１０号公報
【考案の開示】
【考案が解決しようとする課題】
【０００４】
しかしながら、上述した従来のショッピングカートは、店舗内で多く使用され、店舗内で買い物をする他の顧客の目に留まりやすいという特徴があるにもかかわらず、その特徴を有効に活用できていないという問題点があった。
【０００５】
本考案は、上述した問題点を解決するためになされたものであり、ショッピングカートに装着することで、広告宣伝効果を奏することができる広告表示体を提供することを目的としている。
【課題を解決するための手段および考案の効果】
【０００６】
請求項１記載の広告表示体によれば、板状の広告板と、その広告板に設けられると共に係止部を有する装着部とを備え、その装着部の係止部が線材に係止されることで荷物収納部の外側面に装着されるので、スーパーマーケット等の店舗でショッピングカートを使用する際に、広告表示体に表示される広告を、店舗で買い物をしている顧客の目に留まりやすくすることができる。即ち、店舗においては、多くの顧客がショッピンカートを搬送しながら買い物をするので、荷物収納部の外側面に広告を表示することで、店舗で買い物をしている多くの顧客に広告を見せることができる。よって、ショッピングカートを広告宣伝に利用することができるという効果がある。その結果、顧客の購買意欲を促進することができる。
【０００７】
また、装着部の係止部が線材に係止されるので、広告表示体を荷物収納部に安定した状態で装着できる。よって、ショッピングカートを使用する際に広告表示体が脱落することを防止できるという効果がある。
【０００８】
請求項２記載の広告表示体によれば、請求項１記載の広告表示体の奏する効果に加え、装着部は、広告板に連設される板状の連設部を備え、係止部は、連設部を介して広告板に対向すると共に連設部よりも厚さ方向に対して垂直方向へ張り出す板状に形成され、連設部が複数の線材の隣り合う線材間に挿入されると共に、係止部が荷物収納部の内側面側で複数の線材の隣り合う線材に係止されるので、係止部を複数の線材に係止させることができる。よって、係止部を１本の線材に係止する場合と比べて、広告表示体を荷物収納部により安定した状態で装着できるという効果がある。
【０００９】
請求項３記載の広告表示体によれば、請求項２記載の広告表示体の奏する効果に加え、係止部は、連設部に連設される一面側の反対側である他面側の周縁部分が面取りされることで、連設部の一面側から他面側に向けてテーパ状に形成されているので、広告表示体を荷物収納部に装着する際に、複数の線材の間に係止部を挿入しやすくできるという効果がある。また、係止部は、他面側の周縁部分が面取りされるので、荷物収納部の内部に収納されている荷物が、係止部の周縁部分との接触により損傷することを回避できるという効果がある。
【００１０】
請求項４記載の広告表示体によれば、請求項２又は３に記載の広告表示体の奏する効果に加え、広告板は、板厚が連設部の板厚よりも小さく設定されているので、広告表示体を荷物収納部に装着した際における、広告板が荷物収納部の外側面から張り出す量を小さくすることができる。よって、ショッピングカート同士の接触による広告板の損傷を回避できるという効果がある。
【００１１】
また、広告表示体を荷物収納部に装着した際における、広告板が荷物収納部の外側面から張り出す量を小さくできるので、一のショッピングカートの荷物収納部と他のショッピングカートの荷物収納部とを重ねつつショッピングカートを収納する際に、広告板が一のショッピングカートの荷物収納部と他のショッピングカートの荷物収納部との間で引っかかることを防止できる。よって、収納されたショッピングカートの出し入れを円滑に行うことができるという効果がある。
【００１２】
請求項５記載の広告表示体によれば、請求項１から４のいずれかに記載の広告表示体の奏する効果に加え、装着部を２つ以上備えているので、広告表示体が装着部を１つ備えている場合と比べ、広告表示体を荷物収納部により安定した状態で装着できるという効果がある。即ち、広告表示体が装着部を１つだけ備えている場合では、ショッピングカート搬送時の振動が装着部に伝達される場合に、広告表示体がぐらつきやすくなるので、装着部の損傷や広告表示体の落下が発生し易くなる。これに対し、広告表示体が装着部を２つ以上備えることで、ショッピングカート搬送時の振動による広告表示体のぐらつきを確実に抑制できる。
【図面の簡単な説明】
【００１３】
【図１】本考案の一実施の形態における広告表示体が装着されたショッピングカートの側面図である。
【図２】（ａ）は、広告表示体の正面図であり、（ｂ）は、広告表示体の裏面図であり、（ｃ）は、装着部の上面図である。
【図３】（ａ）は、第２実施の形態における広告表示体の装着部の上面図であり、（ｂ）は、第３実施の形態における広告表示体の装着部の上面図であり、（ｃ）は、第４実施の形態における広告表示体の広告板の正面図であり、（ｄ）は、図３（ｃ）のＩＩＩｄ−ＩＩＩｄ線における広告板の断面図である。
【考案を実施するための形態】
【００１４】
以下、本考案の好ましい実施形態について、添付図面を参照して説明する。図１は、本考案の一実施の形態における広告表示体１００が装着されたショッピングカート１の側面図である。
【００１５】
まず、図１を参照して、ショッピングカート１の概略構成について説明する。図１に示すように、ショッピングカート１は、スーパーマーケット等の店舗で買い物をする顧客が、荷物を積載して搬送するための荷車であり、側面視Ｌ字状に形成される支柱２と、その支柱２の上方に形成されるハンドル３と、支柱２の下方に連結される４つのキャスタ４と、キャスタ４の上方に配設されると共に支柱２に連結される荷物収納部５とを備えている。
【００１６】
荷物収納部５は、顧客が購入しようとする商品が入った買い物かごや、すでに購入した商品を収納するための部位であり、複数の線材６から構成されると共に上方が開放された籠状に形成されている。荷物収納部５は、底面を構成する底面部５ａと、ショッピングカート１の進行方向前側（図１左側）を構成する前面部５ｂと、ショッピングカート１の進行方向後側（図１右側）を構成する後面部５ｃと、ショッピングカート１の左右方向（図１紙面手前側および奥側）を構成する一対の側面部５ｄとを備えている。
【００１７】
なお、後面部５ｃは、上方に配設されると共にショッピングカート１の左右方向に沿って支柱２に配設される軸（図示せず）に揺動可能に軸支されている。これにより、ショッピングカート１を収納する際、一のショッピングカート１の荷物収納部５を、他のショッピングカート１の後面部５ｃから荷物収納部５内部へ挿入することで、複数のショッピングカート１を重ねて収納できるので、ショッピングカート１の収納スペースを小さくすることができる。
【００１８】
また、ショッピングカート１の一対の側面部５ｄには、商品やイベント等の広告または案内を行うための広告表示体１００が装着されている。これにより、広告表示体１００に表示される広告を、店舗で買い物をしている顧客に留まりやすくすることができる。即ち、店舗においては、多くの顧客がショッピンカート１を搬送しながら買い物をするので、荷物収納部５の外側面５ｄに広告を表示することで、店舗で買い物をしている多くの顧客に広告を見せることができる。よって、ショッピングカート１を広告宣伝に利用することで、顧客の購買意欲を促進することができる。
【００１９】
次に、図２を参照して、広告表示体１００の全体構成について説明する。図２（ａ）は、広告表示体１００の正面図であり、（ｂ）は、広告表示体１００の裏面図であり、（ｃ）は、装着部３０の上面図である。
【００２０】
図２（ａ）又は図２（ｂ）に示すように、広告表示体１００は、板状の広告板２０と、その広告板２０に取着される２つの装着部３０とを備えている。広告板２０は、広告または案内を表示するための部位であり、荷物収納部５を構成する断面略円形状の線材６の直径よりも板厚が小さく設定されている。これにより、広告表示体１００を荷物収納部５に装着した際に、広告板２０が荷物収納部５の側面部５ｄから外方へ張り出す量を小さくすることができるので、ショッピングカート１同士の接触による広告板２０の損傷を回避できる。さらに、ショッピングカート１を重ねて収納する際に、広告板２０が嵩張ることでショッピングカート１の収納スペースが大きくなることを防止できる。
【００２１】
また、広告板２０は、ＰＥＴ材から構成されており、一面側を構成する表面２１と、他面側を構成する裏面２２とを備えている。表面２１は、広告が表示される部位であり、表面２１に広告を表示する方法としては、例えば、表面２１に直接、広告を記載することや、広告が記載された用紙やシール等を貼付することなどが例示される。また、裏面２２には、装着部３０が２つ取り付けられている。なお、図２（ａ）では、広告の図示が省略されている。
【００２２】
図２（ｂ）又は図２（ｃ）に示すように、装着部３０は、アクリル樹脂から構成されており、広告板２０の裏面２２に連設される板状の連設部３１と、その連設部３１を介して広告板２０に対向すると共に連設部３１よりも厚さ方向に対して垂直方向に張り出す板状の係止部３２とを備えている。なお、装着部３０は、アクリル樹脂から構成されているので、装着部３０の加工作業を容易に行うことができる。
【００２３】
連設部３１は、広告板２０及び係止部３２を連設するための部位であり、板厚が荷物収納部５を構成する断面略円形状の線材６の直径と同等に設定されている。
【００２４】
係止部３２は、広告表示体１００を荷物収納部５に装着する際に、側面部５ｄに係止される部位であり、板厚が連設部３１よりも小さく設定されていることが望ましい。これにより、一のショッピングカート１の荷物収納部５と他のショッピングカート１の荷物収納部５とを重ねつつショッピングカート１を収納する際に、広告板２０が一のショッピングカート１の荷物収納部５と他のショッピングカート１の荷物収納部５との間で引っかかることを防止できる。よって、収納されたショッピングカート１の出し入れを円滑に行うことができる。
【００２５】
また、係止部３２は、一面側を構成すると共に連設部３１に連設される係止面３２ａと、その係止面３２ａの反対側である他面側を構成する係入面３２ｂとを備えており、係入面３２ｂは、周縁部分が面取りされている。即ち、上面視において、係止部３２が、係止面３２ａから係入面３２ｂにかけてテーパ状に形成されているので、荷物収納部５の内部に収納されている荷物が、係入面３２ｂの周縁部分との接触により損傷することを回避できる。また、係止部３２ｂを荷物収納部５に装着する際に、複数の線材６の隣り合う線材６の間から荷物収納部５の内部へ係止部３２を挿入しやすくできる。
【００２６】
広告表示体１００を荷物収納部５に装着するには、側面部５ｄを構成する線材６のうち、複数の線材６の隣り合う線材６の間に、側面部５ｄの外側面側から係止部３２を押圧する。線材６および係止部３２を弾性変形させつつ、係止部３２を荷物収納部５の内部に押し込むことで、荷物収納部５が隣り合う線材６に係止される。
【００２７】
ここで、係止部３２は、複数の線材６に係止されるので、係止部３２を１本の線材６に係止する場合と比べて、広告表示体１００を荷物収納部５により安定した状態で装着できる。よって、ショッピングカート１を使用する際に広告表示体１００が脱落することを防止できる。
【００２８】
次に、図３を参照して、第２実施の形態における広告表示体２００について説明する。第１実施の形態では、広告板２０に広告を表示する方法として、広告板２０に広告を記載する場合や、広告板に広告を貼付する場合を説明したが、第２実施の形態では、広告板２２０の枠内に広告Ａを着脱可能に挿入する。なお、上記した第１実施の形態と同一の部分には同一の符号を付して、その説明を省略する。
【００２９】
広告板２２０は、透明なアクリル樹脂から構成される板状の表面カバー２２１と、その表面カバー２２１と所定間隔の隙間を隔てて配設される板状の背面カバー２２２と、それら表面カバー２２１及び裏面カバー４２２の周縁部分で固定するフレーム２２３とを備えている。フレーム２２３は、四角形の枠であり、そのうちの一辺を構成する分離フレーム２２３ａが背面カバー２２２と一体に形成されている。また、フレーム２２３のうち、分離フレーム２２３ａを除く他の三辺を構成する固定フレーム２２３ｂは、断面が溝状に形成されており、その溝状部分に表面カバー２２１及び背面カバー２２２を嵌めこむことで、表面カバー２２１及び背面カバー２２２が固定フレーム２２３ｂの枠内に収容される。
【００３０】
広告板２２０に広告Ａを表示する場合には、分離フレーム２２３ａ及び背面カバー２２２の一部または全部を固定フレーム２２３ｂから取り外した状態で、背面カバー２２２と前面カバー２２１との間に広告Ａを挿入し、広告Ａを前面カバー２２１及び背面カバー２２２の間に挟んだ状態で背面カバー２２２を固定フレーム２２３ｂに収容する。これにより、広告Ａがフレーム２２３に収容されると共に、広告Ａが前面フレーム２２１を介して外部に向けて表示される。なお、広告Ａを広告板２２０から取り外す際には、分離フレーム２２３ａ及び背面カバー２２２の一部または全部を固定フレーム２２３ｂから取り外した状態で、広告Ａを引き抜く。
【００３１】
従って、広告表示体２００がショッピングカート１（図１参照）に装着された状態で、広告Ａを交換することができるので、広告の表示を変える度に広告表示体２００を取り外す場合と比べ、作業効率を向上させることができる。
【００３２】
以上、実施の形態に基づき本考案を説明したが、本考案は上記実施の形態に何ら限定されるものではなく、本考案の趣旨を逸脱しない範囲内で種々の改良変形が可能であることは容易に推察できるものである。
【００３３】
例えば、上記各実施の形態では、広告表示体１００，２００が装着部３０を２つ備えている場合を説明したが、必ずしもこれに限られるものではなく、広告表示体１００，２００が装着部３０を１つ又は３つ以上備えていてもよい。装着部３０を１つにすることで、製造コストを節約できると共に、広告表示体１００，２００の装着作業を効率化できる。また、装着部３０を３つ以上にすることで、荷物収納部５に広告表示体１００，２００をより安定した状態で装着できると共に、装着部３０のうちの一部が破損した場合でも、他の装着部３０により広告表示体１００，２００を係止できるので、広告表示体１００，２００が荷物収納部５から脱落することをより確実に回避できる。
【００３４】
さらに、上記各実施の形態では、装着部３０がアクリル樹脂で構成される場合を説明したが、必ずしもこれに限られるものではなく、アルミ複合板、ステンレス又は形状記憶合金等の金属材料から構成されていてもよい。なお、装着部３０が形状記憶合金から構成される場合には、荷物収納部５への着脱を繰り返しても、形状記憶効果により形状を保持できるので、装着部３０の長寿命化を図ることができる。
【００３５】
また、上記各実施の形態では、広告板２０がＰＥＴ材で構成される場合を説明したが、必ずしもこれに限られるものではなく、ＥＬシートやＬＥＤパネル等の板状の光源装置から構成されていてもよい。なお、光源装置をラミネート加工等のカバーにより被覆した状態で使用することで、雨水等の水分により光源装置が故障することを防止できる。なお、光源装置は、電源と、その電源および光源装置を電気的に接続する電気配線とを備えている。よって、電気配線を介して光源装置に接続された電源をショッピングカート１（例えば、荷物収納部５の外底面など）に装着することで、電源装置自体に電源を装着する場合と比べ、光源装置を安定した状態で装着できるので、ショッピングカート１の振動による光源装置のぐらつきを抑制できる。よって、ショッピングカート１を使用する際に光源装置が脱落することを防止できる。
【符号の説明】
【００３６】
１００，２００                                広告表示体
１                                            ショッピングカート
５                                            荷物収納部
６                                            線材
２０，２２０                                  広告板
３０                                          装着部
３１                                          連設部
３２                                          係止部
Ａ                                            広告
【図１】
0003159226.tif 000003
【図２】
0003159226.tif 000004
【図３】
0003159226.tif 000005